(57)【特許請求の範囲】
【請求項１】
被験者の左右の足に対応する一対のフォースプレートと、
各フォースプレートにより検出された荷重データを用いて被験者の左右の足にそれぞれ作用する荷重の時系列データを取得する荷重取得手段と、
被験者の下肢の状態の評価値を算出する評価値算出手段と、
を備え、
前記荷重取得手段は、前記フォースプレート上で被験者が足踏みする間の当該被験者の左右の足にそれぞれ作用する荷重の時系列データを取得し、
前記評価値算出手段は、立脚期の荷重の立ち上がり部分における荷重速度を第１評価値として算出する、
荷重計測システム。
【請求項２】
前記荷重速度は、１歩毎の立脚期においてリアルタイムで取得される、請求項１に記載の荷重計測システム。
【請求項３】
前記荷重速度は、複数歩の立脚期における代表値として取得される、請求項１に記載の荷重計測システム。
【請求項４】
前記評価値算出手段は、さらに、前記荷重速度の標準偏差を第２評価値として算出する、請求項３に記載の荷重計測システム。
【請求項５】
前記評価値算出手段は、さらに、立脚期の荷重の立ち下がり部分における荷重速度を算出し、立ち上がり部分における荷重速度と立ち下がり部分における荷重速度の大きさの差分を第３評価値として算出する、
請求項１〜４いずれか１項に記載の荷重計測システム。
【請求項６】
前記荷重計測システムは、表示部を備え、
前記表示部には、前記第１評価値および／あるいは前記第３評価値が、健常者の値と対比して表示される、請求項５に記載の荷重計測システム。
【請求項７】
前記表示部には、荷重速度を表す円弧状の目盛が表示され、当該目盛において健常者の荷重速度の範囲が扇状部によって表示されており、前記第１評価値が円弧中心から円弧状の目盛に向かって延びる指針によって当該目盛上で指し示される、請求項６に記載の荷重計測システム。
【請求項８】
前記表示部において、前記指針の先端の近傍には、当該指針の長さ方向に直交するバーによって前記第２評価値が表示される、請求項７（請求項４の従属項に限る）に記載の荷重計測システム。
【請求項９】
前記第１評価値は、１歩毎の立脚期においてリアルタイムで取得され、当該第１評価値は１歩毎にリアルタイムで前記表示部に表示される、請求項７に記載の荷重計測システム。
【発明の詳細な説明】
【技術分野】
【０００１】
本発明は、荷重計測システムに係り、詳しくは、２つのフォースプレートを用いた下肢荷重計測システムに関するものである。
【背景技術】
【０００２】
重心動揺計を用いた検査の多くは、静的姿勢についての静的体平衡機能検査であるが、足踏み検査に用いられる重心動揺システムも提案されている（特許文献１）。重心動揺計のフォースプレートは本来的に荷重計測機能を備えており、重心動揺計を用いて足踏み時の荷重の時系列データを取得することができる。
【０００３】
被験者がフォースプレート上で足踏みした時に取得される荷重データには、フォースプレート上で静的姿勢にある被験者から取得される荷重データに比べて多くの情報が含まれており、足踏み検査は、動的平衡機能検査のみならず様々な検査に用いられ得る可能性を秘めている。
【０００４】
下肢の整形外科疾患に対する最大の治療目的は、疾患によって損なわれた機能の回復にあるが、機能回復の大きな要因として「痛みの軽減」があり、この痛みを取り除くことで機能を大きく改善できると考えられる。ところが、従来、この痛みを評価する指標は存在しなかった。例えば、静止立位で左右の荷重バランスを評価しても、静止立位の時だけ無理して立位を維持する人がいるため、下肢の痛みや違和感の評価を左右の静止荷重だけで行うことは困難である。本願発明者は、かかる現状に鑑み、足踏み検査を用いて被験者の下肢の状態（特に、下肢の痛みや違和感）を評価することを検討した。
【先行技術文献】
【特許文献】
【０００５】
【特許文献１】特開２００７−３３０４３４
【発明の開示】
【発明が解決しようとする課題】
【０００６】
本発明は、被験者の下肢の状態を評価することができる下肢荷重計測システムを提供することを目的とするものである。
【課題を解決するための手段】
【０００７】
かかる課題を解決するべく本発明が採用した技術手段は、
被験者の左右の足に対応する一対のフォースプレートと、
各フォースプレートにより検出された荷重データを用いて被験者の左右の足にそれぞれ作用する荷重の時系列データを取得する荷重取得手段と、
被験者の下肢の状態の評価値を算出する評価値算出手段と、
を備え、
前記荷重取得手段は、前記フォースプレート上で被験者が足踏みする間の当該被験者の左右の足にそれぞれ作用する荷重の時系列データを取得し、
前記評価値算出手段は、立脚期の荷重の立ち上がり部分における荷重速度を第１評価値として算出する、
荷重計測システ、である。
【０００８】
１つの態様では、前記荷重速度は、１歩毎の立脚期においてリアルタイムで取得される。
【０００９】
１つの態様では、前記荷重速度は、複数歩の立脚期における代表値（典型的には平均値）として取得される。
１つの態様では、荷重速度は、正規化されている。具体的な正規化の手段については、当業者により適宜選択し得るものであり、荷重速度を被験者の体重で除して正規化すること、荷重速度を立脚期で正規化すること、が例示される。
【００１０】
１つの態様では、前記評価値算出手段は、さらに、前記荷重速度の標準偏差を第２評価値として算出する。
【００１１】
１つの態様では、前記評価値算出手段は、さらに、立脚期の荷重の立ち下がり部分における荷重速度を算出し、立ち上がり部分における荷重速度と立ち下がり部分における荷重速度の大きさの差分を第３評価値として算出する。
【００１２】
１つの態様では、前記荷重計測システムは、表示部を備え、
前記表示部には、前記第１評価値および／あるいは前記第３評価値が、健常者の値と対比して表示される。
１つの態様では、前記第１評価値は、１歩毎の立脚期においてリアルタイムで取得され、当該第１評価値は１歩毎にリアルタイムで前記表示部に表示される。
【００１３】
１つの態様では、前記表示部には、荷重速度を表す円弧状の目盛が表示され、当該目盛において健常者の荷重速度の範囲が扇状部によって表示されており、前記第１評価値が円弧中心から円弧状の目盛に向かって延びる指針によって当該目盛上で指し示される。
１つの態様では、前記表示部において、前記指針の先端の近傍には、当該指針の長さ方向に直交するバーによって前記第２評価値が表示される。
【発明の効果】
【００１４】
本発明に係る下肢荷重計測システムを用いることで、立ち上がり部分の荷重速度を評価値として被験者の下肢の状態を評価することができる。
具体的には、整形疾患に対する、治療の効果判定（手術、投薬、補装具の有効性の判定）、リハビリでの経過観察（訓練効果の把握、異常の検出）、病棟内歩行時の介助の必要性の定量的な判定（現状は医師、看護士、ＰＴの合議制がほとんどで、客観的なデータを必要としている。）、杖をはずしていい時期の見極め（現状は医師、看護士、ＰＴの合議制がほとんどで、客観的なデータを必要としている。）などに応用することができる。
【図面の簡単な説明】
【００１５】
【図１】本実施形態に係る下肢荷重計測システムの概略ブロック図である。図１において、同様のブロックがペアで記載されているが、これらは左足の荷重取得手段、荷重速度算出手段、荷重速度（立ち上がり部分、立ち下がり部分）、右足の荷重取得手段、荷重速度算出手段、荷重速度（立ち上がり部分、立ち下がり部分）にそれぞれ対応している。また、図１では、左右の対向足間の荷重速度（立ち上がり部分と立ち上がり部分）の差分のみを表示しているが、同じ足の荷重速度（立ち上がり部分と立ち上がり部分）の差分を算出してもよい。
【図２】ある被験者について取得した左右の足の足底荷重値データから得た荷重バランス（全体）、荷重バランス（立脚期）、バランス特性（全体）、バランス特性（立脚期）を示す図である。
【図３】左右の足の１回の立脚期における足底荷重値を重ね書きしてなる図、及び、取得された荷重ピーク値特性を示す図である。
【図４】左右の足の足底荷重値の荷重変化を立脚期で正規化して示す図、及び、取得された荷重特性を示す図である。
【図５】荷重タイミングを示す図、及び、時間因子（ストライド基準）を示す図である。
【図６】ある被験者について取得した左右の足の足底荷重値データから得た荷重バランス（全体）、荷重バランス（立脚期）、バランス特性（全体）、バランス特性（立脚期）を示す図である。
【図７】ある被験者について取得した荷重タイミング、及び、時間因子（ストライド基準）を示す図である。
【図８】ある被験者について取得した左右の足の足底荷重値データから得た荷重バランス（全体）、荷重バランス（立脚期）、バランス特性（全体）、バランス特性（立脚期）を示す図である。
【図９】ある被験者について取得した荷重タイミング、及び、時間因子（ストライド基準）を示す図である。
【図１０】ある被験者について取得した荷重タイミングを示し、１立脚期毎に荷重速度をリアルタイムで取得すること（第１の手法）を示す図である。
【図１１】荷重速度を計算するための第２の手法を説明する図である。
【図１２】荷重速度を計算するための第３の手法を説明する図である。
【図１３】ある被験者について第３の手法での荷重速度の計算を説明する図である。
【図１４】ある被験者について第３の手法での荷重速度の計算を説明する図である。
【図１５】ある被験者について荷重速度を評価値として術後経過を示す図である。
【図１６】ある被験者について荷重速度を評価値として術後経過を示す図である。
【図１７】立脚期の立ち上がり部分における荷重速度、立ち下がり部分における荷重速度の計算を説明する図である。
【図１８】ある被験者についての下肢荷重検査結果を表示した図である。
【図１９】荷重速度をリアルタイムで被験者に提示するための表示を示す図である。
【図２０】ある被験者についての下肢荷重検査結果を表示した図である。
【図２１】荷重速度をリアルタイムで被験者に提示するための表示を示す図である。
【発明を実施するための形態】
【００１６】
本実施形態に係る下肢荷重計測システムは、足踏み検査の際の被験者の左右の足にそれぞれ作用する荷重を測定するシステムである。下肢荷重計測システムは、被験者の左右の各足の床反力（足底荷重値）を各々測定する２つのフォースプレートと、フォースプレートから出力されたデータを処理するデータ処理装置と、データ処理装置による処理結果を表示する表示部を備えている。フォースプレートは、２つの重心動揺計から構成することができる。データ処理装置は、１つあるいは複数のコンピュータ（データを入力するための入力手段、処理されたデータを出力するための出力手段、主としてＣＰＵから構成される演算手段／制御手段、所定のプログラム、入力データ、計測データ、算出データ等を記憶するＲＯＭ、ＲＡＭ等の記憶手段、これらを接続するバス、を備えている）と、から構成することができる。表示部は、ディスプレイから構成することができる。
【００１７】
本実施形態に係る下肢荷重計測システムは、いわゆるプレート式下肢荷重検査に適用される。プレート式下肢荷重検査とは、プレート式足圧計測装置(左右別型重心動揺計)により下肢荷重を計測し、足踏み動作時における左右別の足圧中心(COP)移動分析などを行う検査である(日本リハビリテーション医学会 2008/10/15発行 リハニュースNo.39(ISSN 1344-8838))。下肢荷重計測システムは、重心動揺検査の２枚のフォースプレートを組み合わせて、左右下肢別の荷重量と重心動揺を捉え、記録・分析して下肢支持能力およびバランスを検査することができる。
【００１８】
重心動揺計は、被験者が載る足載せ台と、足載せ台の所定の複数箇所に作用する荷重データを検出する荷重検出手段と、を備えるフォースプレートと、前記荷重データを用いて左右の足底荷重値の時系列データを取得する足底荷重値取得手段と、前記荷重データを用いて左右の各足底のＸＹ平面上の重心座標（ＣＯＰ）の時系列データを取得する重心座標取得手段備えている。足底荷重値取得手段、重心座標取得手段は、コンピュータの演算手段によって構成することができる。
【００１９】
本実施形態では、フォースプレートは、平面視二等辺三角形状（より具体的には、略正三角形状）の形状を備えた可搬式のフォースプレートである。フォースプレートは、平面視二等辺三角形状の踏み台と、踏み台の３つの頂点の下方に位置して配置された３つのロードセル（荷重検知センサ）と、を備えている。ロードセルは３分力センサで、Ｘ軸方向、Ｙ軸方向、Ｚ軸方向の荷重出力を検出する。ロードセルにより検出された荷重データに係る所定の信号は、増幅器（図示せず）により増幅されてデータ処理装置に出力される。フォースプレートの形状や荷重センサの個数は限定されず、例えば、略四角形状の踏み台と、踏み台の四隅部に配置した４つのロードセルと、からなるフォースプレートを用いてもよい。フォースプレートは、被験者の足底荷重値を取得できるものであれば、いかなるフォースプレートでもよい。
【００２０】
フォースプレートの各々は、側辺同士を互いに近接対向させて床面に配置される。一方のフォースプレートが被験者の左足に対応し、他方のフォースプレートが被験者の右足に対応しており、左足に作用する荷重、右足に作用する荷重を独立して取得するようになっている。各踏み台の上面には、被験者の足踏み動作の基準となる凸状の足踏み動作基準マーカＭが設けられている。マーカを踏む位置は第一中足骨頭からやや小指よりの凹んだ部分とする。一例では、マーカは直径１５ｍｍ、高さ２ｍｍであり、マーカ間距離が１６０ｍｍとなるように２つの重心動揺計が床面に置かれる。踏み板上のマーカの位置は位置調節可能となっている。マーカの詳細については、特許文献１を参照することができる。
【００２１】
各ロードセルで取得される荷重情報（ｚ、ｙ、ｚ方向）は、逐次コンピュータに送信され、コンピュータの演算手段でＣＯＰを逐次（０.０１秒、０．００５秒、０．００１秒等の単位時間毎）求めることで、足底荷重値の時系列データ、荷重の作用中心点（ＣＯＰ：Center  of  Pressure）の時系列データ（ＸＹ座標）を取得することができる。荷重情報、得られた足底荷重値、重心位置のデータ（ＸＹ座標値）は、取得時間と共に記憶手段に記憶される。なお、重心位置データは動揺解析には必須であるが、本発明においては必須ではない。本実施形態では、典型的には算出された各データは、表示手段に表示され得るが、データが記憶手段に記憶されており、後述する解析パラメータの計算が可能な状態であればよく、算出データを表示手段に表示することは必須ではない。
【００２２】
１つの態様では、足踏み検査条件は以下の通りである。
計測周波数：１０ｍｓ（１００Ｈｚ）
計測歩数：４０歩（右足２０歩、左足２０歩）のデータを使用
眼：開眼
歩行リズム：１００歩／分のリズム音に従う
【００２３】
時間因子は、以下のとおり定義される。
ストライド：足の接地から次の同足の接地までの時間
立脚期：足の接地から同足の離床までの時間
遊脚期：足の離床から同足の接地までの時間
両脚支持期：左右足の同時接地時間
これらの時間は、左右の足に対応するフォースプレートから得られた足底荷重値の時系列データから取得することができる。
【００２４】
フォースプレート上における左右両足の複数回の足踏み動作によって、各足に対応する夫々のフォースプレートに作用した荷重データに基づいて、左右両足の足底荷重値を経時的に取得するする。取得した足底荷重値は、足底荷重値を縦軸、時間を横軸にとって表示部に表示することができる。
【００２５】
図２に示すように、左右それぞれの足の足底荷重値の時系列データから荷重バランス（全体）、荷重バランス（立脚期）を取得することができる。荷重バランスは、縦軸を体重％として棒グラフで表示することができる。また、足底荷重値の時系列データをデータ処理装置の演算手段が統計的に処理することで、バランス特性として、全体、立脚期のそれぞれについて、平均値、ＳＤ、最大値を左右の足毎に算出する。
【００２６】
図３に示すように、左右それぞれの足の１回の立脚期における足底荷重値の時系列データを重ね書きして表示する（上図）。左右の足それぞれについて、各立脚期における荷重ピーク値をコンピュータの演算手段が統計的に処理することで、荷重ピーク特性として、平均値、ＳＤ、最大値、最小値を、出現時間と共に取得することができる。計算された左右の足毎の荷重ピーク値特性を、図３下図に示す。
【００２７】
図４に示すように、左右それぞれの足の足底荷重値の時系列データから荷重変化（立脚期で正規化）及び荷重特性を、左右の足毎に取得することができる。各足踏み動作における立脚期を所定値（例えば、１００等）で等分して、等分された時刻毎に足底荷重値を算出する正規化処理を行う。等分された時刻ごとに各ステップの足底荷重値に基づいて平均値及び標準偏差を算出する。図４に示すように、縦軸を体重比（％）とし、横軸を正規化歩行周期（％）として処理結果を表示することができる。体重比の最大値を▲で示し、その最小値を▽で示し、これらの出現時の歩行周期比を数字で表している。得られた荷重特性（立脚期の荷重パターン）、具体的には、第１極大値、極小値、第２極大値、荷重変動（ＳＤ）の平均値を図４下図に示す。
【００２８】
図５は、荷重タイミング、時間因子（ストライド基準）を示す。各値は複数回の足踏み動作を通して得られたデータの平均値である。
【００２９】
荷重因子による評価例について説明する。以下の説明は本発明の背景となる考え方を示している。
荷重バランスによる評価
患足の痛みによる代償をある程度判断する方法として、最初に左右の荷重バランスに注目する。図６左図の例（LtHip AN（大腿骨頭無腐性壊死）４２歳  男性  術前）の場合、左右の荷重差が左基準で２０％以上あり、何らかの痛みの代償が働いているものと考えられる。一方、図６右図に示すように、立脚期の荷重バランスが全体の荷重バランスほど左右差がない。これは、足が接地している時の荷重の左右差が少ないことを示し、荷重負荷を減らす代償が時間的な要因で行われていることを示唆している。上記の例の荷重タイミングを図７に示す。明らかに左足の立脚期時間が短く（左足：６４．５３、右足：７８．１６）、左足に荷重をかける時間を減らすことで、痛みをかばっていることが読み取れる。
【００３０】
荷重の立ち上がり速度による評価
図８に示す例は、両側ＯＡ（変形性関節症）の患者の左ＴＫＡ（人工関節置換手術）の術前の荷重バランスである。荷重バランス（全体）、荷重バランス（立脚期）共に左右差もほとんど無く、この図からはでは正常者と差が見られない。一方、図９に示す荷重タイミングに着目すると、左右差は無いが、立脚期、両脚支持期共に長く、単脚支持期を表す遊脚期が非常に短くなっている。つまり、両脚で体重を支えている時間が長く、痛みをかばうために片足で立っている時間が短くなっているものと考えられる。
【００３１】
下肢に痛みや違和感があると、人はそれをかばうが、かばう方法には個人差がある。荷重を十分にかけない人、ゆっくりと荷重をかけていく人、がいる。痛みの代償行為も荷重負荷の大きさだけでなく、ゆっくりと負荷をかけることで痛みの軽減を図る方法もあるはずである。痛みの代償動作は、荷重因子と時間因子の双方に影響を及ぼしているものと考えられる。そこで、これらの２つを合成したパラメータである荷重速度（加重傾斜）に着目した。荷重速度は足に体重を加えて行く速度であり、荷重速度によって荷重負荷の時間的な変化を捉えることができる。つまり、荷重と時間の両方の側面から観察することで「かばい行動」を定量化することができる。また、「かばい行動」があると１歩毎に速度がバラつくため、ＳＤ（標準偏差）も大きくなる。荷重速度やその変動（ＳＤ）から「かばい行動」を評価することができる。以下、荷重速度の算出方法について説明する。３つの手法を示すが、荷重速度の計算はこれら３つの手法に限定されるものではない。
【００３２】
第１の手法は、図１０に示すように、１歩毎の足底荷重値の時系列データからリアルタイムで荷重速度を算出する。１立脚期が終了した時点で当該立脚期における立ち上がり部分の荷重最大値、及び、足底の接地から荷重最大値までの時間を取得し、縦軸を荷重、横軸を時間としたグラフにおいて、接地時刻と荷重最大値の時刻を結ぶ直線の傾きから荷重速度をコンピュータの演算手段によって求める。
【００３３】
第２の手法は、荷重変化（計測データ重ね書き）で荷重ピーク特性値が算出されているので、それぞれの足ピークの平均値と出現時間の平均値から、コンピュータの演算手段によって、左右それぞれの足について、
「荷重速度（加重傾斜）＝ピーク平均値（体重％）／出現時間の平均値（秒）」
で算出できる。図１１に基づいて説明すると、
左足の荷重速度＝９５．１４／０．５４＝１７６．１８
右足の荷重速度＝１０１．４０／０．５６＝１８１．０７
となる。
【００３４】
第３の手法は、立脚期で正規化した荷重変化の表から、コンピュータの演算手段によって、左右それぞれの足について、
「荷重速度（加重傾斜）＝第１極大値／（出現地点（％）×立脚期時間）」
で算出できる。図１２に基づいて説明すると、
左足の荷重速度＝９３．７８／１．２６×０．４３＝１７３．０８
右足の荷重速度＝９８．０８／１．２６×０．４３＝１８１．０２
となる。
【００３５】
上記両側ＯＡ（膝）の患者について、左ＴＫＡ術前と術後２１日のデータ比較した例を図１３、図１４に示す。図１３は、術前のデータであり、荷重速度は、左：１７３．１（％／秒）、右：１８１．０（％／秒）、である。図１３は、術前のデータであり、荷重速度は、左：３０３．１（％／秒）、右：３１９．５（％／秒）、である。健常者の平均値が、大体４２０±５０（体重％／秒）程度であり、術前の１７５（体重％／秒）から術後２１日目の３００（体重％／秒）まで、かなり改善したことがわかる。
【００３６】
荷重速度を評価値として用いて術後経過を観察した。結果を図１５、図１６に示す。図１５は、８３歳  女性：両側ＯＡ  左ＴＫＡ（膝関節置換手術）の荷重速度の経過を示す。条件：自由リズムで２０歩、術後の痛みがひどい時期は立位補助具につかまって足踏みを行わせる。なるべく手を使わないように指示。５／７以降は自立。図１６は、７７歳  女性：右ＯＡ  右ＴＫＡ（膝関節置換手術）の荷重速度の経過を示す。条件：自由リズムで２０歩、杖使用（なるべく使わないように指示）。最後の２回は通院時に計測。荷重速度を観察することによって、回復の経過を客観的に捉えることができる。
【００３７】
図１７は、足部に加わる荷重の変化、及び、左右の足に加わる荷重の時間的な関係を表している。一般に、歩行中の１歩の中で踏力（足底荷重値）のピークが２つできることは良く知られており、第１ピークは制動期、第２ピークは駆動期に発生する。足踏み動作も基本的には歩行動作に準じて考えることができ、通常、１歩の立脚期において足底荷重値には２つの荷重ピークが存在するため、足部の接床（厳密には、フォースプレート上面に接する）から第１ピークまでを立ち上がり部とし、第２ピークから足部の離床（厳密には、フォースプレート上面から離れる）までを立ち下がり部とすることができる。すなわち、足踏み動作における立脚期の足底荷重値には、立ち上がり部分（足部の接地から最初の荷重ピークまでの区間）、立ち下り部分（最終荷重ピークから足部の離床までの区間）が存在する。なお、荷重ピークが３つ以上、あるいは、荷重ピークが１つ（荷重ピークが一定時間に亘って略一定である）の場合においても、立ち上がり部分、立ち下がり部分を特定することができることは当業者に理解される。
【００３８】
足底荷重値の立ち上がり部分（足部の接地から荷重ピークまでの区間）から、荷重の増加速度（増加の傾斜）を求め、これを足踏時の下肢の痛みを表す評価値とすることについて説明した。荷重増加速度に加え、足底荷重値の立ち下り部分（最終荷重ピークから足部の離床までの区間）から、荷重の減少速度（減少の傾斜）を求め、対向足の速度差（右から左に荷重移行する場合、右足の荷重減少速度と左足の荷重増加速度の差分）により足踏時の下肢の痛みを評価してもよい。立脚期の足底荷重値の立ち下がり部分における荷重速度の算出手段については、立脚期の足底荷重値の立ち上がり部分における荷重速度の算出手段を適用することができ、最終荷重ピークの荷重値及び時刻、足部の離床時刻を用いて算出し得ることが当業者に理解される。
【００３９】
足踏み時においては、左足から右足、右足から左足へと交互に荷重が作用するが、左足の立ち上がり時の荷重速度と左足の立ち下がり時の荷重速度の絶対値との差分、左足の立ち下がり時の荷重速度の絶対値と右足の立ち上がり時の荷重速度との差分、右足の立ち上がり時の荷重速度の絶対値と右足の立ち下がり時の荷重速度の絶対値との差分、右足の立ち下がり時の荷重速度の絶対値と左足の立ち上がり時の荷重速度との差分、をコンピュータの演算手段によって算出する。健常者の場合は、荷重速度が比較的一定しており、算出された差分が小さい。荷重速度の差分が大きい場合には、足に痛みや障害があることが想定し得る。
【００４０】
図１８、図２０は、それぞれある被験者についての下肢荷重検査結果を表示した図である。図１８、図２０では、上から順に、接床荷重速度（左右の足のデータが並設されている）、荷重タイミング、荷重移行速度が表示されている。図１８、図２０に示す図は、コンピュータの表示部に表示しても、あるいは、出力手段（印刷手段）により出力してもよい。
【００４１】
接床荷重速度については、算出された数値に加えて、荷重速度をスピードメータに似た表現で視覚的に表示し、矢印（指針）の角度が上がるほど荷重速度が大きくなるようにした。扇状部（例えば、グリーンゾーンとして表示される）は多数の健常者のデータから得た健常範囲である。矢印（指針）の先のＴ字状の指標は速度のバラツキを示し、荷重速度が不安定なほどＴの横軸（指針の長さ方向に直交するバー）が長くなる。荷重タイミングにおいて、荷重の正規化グラフが示され、足部に荷重が加わる状態の把握と、左右の時間的な関係が表してある。荷重移行速度において、右足から左足、または左足から右足へ荷重移行する場合の立ち上り時の荷重速度と立ち下り時の荷重速度の大きさの差が表示されている。荷重速度の差分を可視化して、多数の健常者のデータから得た健常範囲（帯状部位）と視覚的に対比することができる。 
【００４２】
図１９、図２１は、算出した荷重速度をリアルタイムで被験者に提示するための表示を示す図である。１歩毎の立脚期の立ち上がり部の荷重速度が算出され、矢印（指針）の角度によって表示される。荷重速度をスピードメータに似た表現とし、一歩ごとに健常値範囲と対比して表現できるようにした。このメータをリアルタイムで被験者に提示することで、被験者（患者）が訓練として荷重速度を利用できるようにしている。足踏み検査で取得される「荷重速度」を、リアルタイムで画面表示して被験者に提示することで、足踏み検査が、単に評価だけでなく、高度な荷重のフィードバック訓練（従来の力に時間要因を加えたフィードバック訓練）として使用できる。荷重速度をリアルタイムで表示する場合には、ＳＤを示すバーは表示されない。
【図１】
0005912807.tif 000002
【図３】
0005912807.tif 000003
【図４】
0005912807.tif 000004
【図５】
0005912807.tif 000005
【図２】
0005912807.tif 000006
【図６】
0005912807.tif 000007
【図７】
0005912807.tif 000008
【図８】
0005912807.tif 000009
【図９】
0005912807.tif 000010
【図１０】
0005912807.tif 000011
【図１１】
0005912807.tif 000012
【図１２】
0005912807.tif 000013
【図１３】
0005912807.tif 000014
【図１４】
0005912807.tif 000015
【図１５】
0005912807.tif 000016
【図１６】
0005912807.tif 000017
【図１７】
0005912807.tif 000018
【図１８】
0005912807.tif 000019
【図１９】
0005912807.tif 000020
【図２０】
0005912807.tif 000021
【図２１】
0005912807.tif 000022